(57)【要約】【課題】新たに装着された紙幣カセット部が故障をしている場合でも、他の紙幣カセット部を用いて自動取引装置を運用できるようにする。【解決手段】本発明に係る自動取引装置が、複数の媒体収納部を備え、前記複数の媒体収納部に収納される媒体を用いて所定の取引処理を行なう自動取引装置において、少なくとも、複数の媒体収納部のそれぞれに収納する媒体種類及び用途種別を含む収納部情報を記憶する記憶部と、複数の媒体収納部のうちいずれかの媒体収納部の脱着を検出する脱着検出部と、脱着検出部により検出された装着された媒体収納部の媒体の繰り出し動作の結果に基づいて、当該装着された媒体収納部の異常を検出する異常検出部とを備え、異常検出された媒体収納部は機能しないことを特徴とする。【選択図】      図１
2017091141.tif 000002
【特許請求の範囲】
【請求項１】
複数の媒体収納部を備え、前記複数の媒体収納部に収納される媒体を用いて所定の取引処理を行なう自動取引装置において、
少なくとも、前記複数の媒体収納部のそれぞれに収納する媒体種類及び用途種別を含む収納部情報を記憶する記憶部と、
前記複数の媒体収納部のうちいずれかの媒体収納部の脱着を検出する脱着検出部と、
前記脱着検出部により検出された装着された前記媒体収納部の媒体の繰り出し動作の結果に基づいて、当該装着された媒体収納部の異常を検出する異常検出部と、
を備え、
異常検出された前記媒体収納部は機能しないことを特徴とする自動取引装置。
【請求項２】
収納部情報を変更する収納部情報変更部をさらに備え、
前記異常検出された前記媒体収納部を機能させない旨を前記収納部情報に書き込むことを特徴とする請求項１に記載の自動取引装置。
【請求項３】
前記媒体収納部の媒体の繰り出し動作は、媒体の試し出し動作であることを特徴とする請求項１に記載の自動取引装置。
【請求項４】
前記収納部情報変更部が、異常検出された前記媒体収納部の前記収納部情報に含まれている媒体種類及び用途種別の情報を、縮退に変更することを特徴とする請求項２又は３に記載の自動取引装置。
【請求項５】
前記収納部情報変更部が、異常検出された前記媒体収納部以外であって、前記収納部情報から検出した同一の媒体種類及び用途種別とする複数の媒体収納部の中から選択した媒体収納部の収納部情報を、前記異常検出された媒体収納部の収納部情報に変更することを特徴とする請求項２〜４のいずれかに記載の自動取引装置。
【請求項６】
前記収納部情報が、前記各媒体収納部に収納されている収納残数を含み、
前記収納部情報変更部が、前記同一の媒体種類及び用途種別とする複数の媒体収納部の中から、前記収納残数が最少のものを選択することを特徴とする請求項５に記載の自動取引装置。
【請求項７】
前記収納部情報変更部が、
前記同一の媒体種類及び用途種別とする複数の媒体収納部の前記媒体部情報を順番に読み出し、当該読み出した媒体収納部が、収納残数最少の媒体収納部であるかを判定し、
収納残数最少の媒体収納部と判定すると、当該媒体収納部の収納部情報を、前記異常検出された媒体収納部の収納部情報に変更する
ことを特徴とする請求項２〜６のいずれかに記載の自動取引装置。
【請求項８】
前記各媒体収納部が、収納している媒体を繰り出す繰出機構と、繰出機構により繰り出された媒体を検出する媒体検出部とを備え、
前記異常検出部が、前記繰出機構の繰り出し動作開始から、前記媒体検出部による媒体検出までの時間が所定時間を超えたときに、当該装着された媒体収納部の異常を検出することを特徴とする請求項１〜７のいずれかに記載の自動取引装置。
【請求項９】
前記収納部情報を記憶しているホストサーバとの間で情報の授受を行なう通信部と、
前記ホストサーバに対して前記媒体収納部の収納部情報を要求し、前記ホストサーバから取得した前記媒体収納部の収納部情報を前記記憶部に記憶する収納部情報要求部と
をさらに備えることを特徴とする請求項１〜８のいずれかに記載の自動取引装置。
【発明の詳細な説明】
【技術分野】
【０００１】
本発明は、自動取引装置に関し、例えば、現金を収納する複数の収納カセット部を備える自動取引装置に適用し得るものである。
【背景技術】
【０００２】
一般に、従来の自動取引装置は、紙幣が補充された紙幣カセットを自動取引装置に装着した後、試し出し動作を実施することにより紙幣カセットが正常に機能しているか否かを確認している。
【先行技術文献】
【特許文献】
【０００３】
【特許文献１】特開２０１５−１０８９３１号公報
【特許文献２】特開２０１３−２４６７７１号公報
【特許文献３】特開平６−２８５４６号公報
【発明の概要】
【発明が解決しようとする課題】
【０００４】
しかしながら、従来の自動取引装置は、紙幣カセットが故障しており、試し出し動作が正常に完了しなかった場合、代替カセットを準備して交換しなければ自動取引装置の運用が開始できないという問題があった。通常、紙幣カセットは、警送会社等が現金センタから自動取引装置の設置場所まで運搬しているため、代替カセットの準備に時間がかかり、自動取引装置の運用に支障をきたしていた。
【０００５】
そのため、新たに装着された紙幣カセット部が故障をしている場合でも、他の紙幣カセット部を用いて自動取引装置を運用できる自動取引装置が求められている。
【課題を解決するための手段】
【０００６】
かかる課題を解決するために、本発明に係る自動取引装置が、複数の媒体収納部を備え、前記複数の媒体収納部に収納される媒体を用いて所定の取引処理を行なう自動取引装置において、（１）少なくとも、複数の媒体収納部のそれぞれに収納する媒体種類及び用途種別を含む収納部情報を記憶する記憶部と、（２）複数の媒体収納部のうちいずれかの媒体収納部の脱着を検出する脱着検出部と、（３）脱着検出部により検出された装着された媒体収納部の媒体の繰り出し動作の結果に基づいて、当該装着された媒体収納部の異常を検出する異常検出部とを備え異常検出された媒体収納部は機能しないことを特徴とする。
【発明の効果】
【０００７】
本発明によれば、新たに装着された紙幣カセット部が故障をしている場合でも、他の紙幣カセット部を用いて自動取引装置を運用できる。
【図面の簡単な説明】
【０００８】
【図１】第１の実施形態の自動取引装置の制御系の構成を示すブロック図である。
【図２】第１の実施形態に係る自動取引装置の外観構成を示す外観構成図である。
【図３】第１の実施形態に係る自動取引装置の内部構成を説明する説明図である。
【図４】第１の実施形態に係る自動取引装置の試し動作時の処理を示すフローチャートである。
【図５】第１の実施形態に係るカセット情報の構成を示す構成図である。
【図６】第１の実施形態に係るカセット情報の変更処理を説明する説明図である。
【図７】第２の実施形態の自動取引装置の制御系の構成を示すブロック図である。
【図８】第２の実施形態のカセット情報変更処理を示すフローチャートである。
【図９】第２の実施形態に係るカセット情報の変更処理を説明する説明図である。
【図１０】第３の実施形態の自動取引装置の制御系の構成を示すブロック図である。
【図１１】第４の実施形態の自動取引装置の制御系の構成を示すブロック図である。
【発明を実施するための形態】
【０００９】
（Ａ）第１の実施形態
以下では、本発明に係る自動取引装置の第１の実施形態を、図面を参照しながら詳細に説明する。
【００１０】
第１の実施形態は、例えば複数の媒体収納部を有する現金自動預け払い機（ＡＴＭ）に本発明を適用する実施形態を例示する。
【００１１】
なお、媒体収納部は、自動取引装置に対して脱着可能であって、紙幣や硬貨等の現金を収納するものである。この実施形態では、媒体収納部が紙幣カセット部である場合を例示する。
【００１２】
（Ａ−１）第１の実施形態の構成
図２は、第１の実施形態に係る自動取引装置の外観構成を示す外観構成図である。
【００１３】
図２において、第１の実施形態の自動取引装置１は、紙幣入出金部５１、カード入出口５２、通帳入出口５３、操作表示部５４を有する。
【００１４】
紙幣入出金部５１は、顧客により投入された紙幣を自動取引装置１内に送ったり、出金に係る紙幣を排出したりする。
【００１５】
カード入出口５２は、顧客により挿入されたキャッシュカードを自動取引装置１内に送ったり、顧客に返却するキャッシュカードを排出したりする。
【００１６】
通帳入出口５３は、顧客により挿入された通帳を自動取引装置１内に送ったり、顧客に返却する通帳を排出したりする。
【００１７】
操作表示部５４は、情報の入力を受け付けたり、例えば、取引種類の選択メニュー画面、各取引の操作画面、取引内容の確認画面、係員向けの精査画面等を表示したりする。なお、操作表示部５４は、操作部と表示部とが一体となったタッチパネル方式であっても良いし、操作部と表示部とが物理的に別の構成のものであってもよい。
【００１８】
図３は、第１の実施形態に係る自動取引装置１の内部構成を説明する説明図である。
【００１９】
図３において、自動取引装置１は、紙幣入出金部５１、複数（例えば図３では７個）の紙幣カセット部Ａ〜Ｇ、一時保留部５５、識別部５６、搬送路５７、着脱検知部５９を有する。なお、自動取引装置１に搭載される紙幣カセット部Ａ〜Ｇの数は、特に限定されるものではない。
【００２０】
着脱検知部５９は、自動取引装置１への紙幣カセット部Ａ〜Ｇの装着又は自動取引装置１から紙幣カセット部Ａ〜Ｇの取り外しを検知する。着脱検知部５９は、例えば、マイクロスイッチ等のように紙幣カセット部Ａ〜Ｇの着脱を電気的に検知する。
【００２１】
紙幣カセット部Ａ〜Ｇは、所定の金種の紙幣を収納し、出金時には１枚の紙幣を搬送路５７に繰り出す繰出機構や、入金時には搬送路５７からの紙幣を１枚ずつ紙幣カセット部Ａ〜Ｇの収納庫に収める収納機構を有する。紙幣カセット部Ａ〜Ｇは、繰出機構のみを有するものであっても良いし、収納機構のみを有するものであっても良いし、繰出機構及び収納機構を有するもの（すなわち、還流リサイクル型の紙幣カセット部）であっても良い。
【００２２】
自動取引装置１の運用に合わせて、紙幣カセット部Ａ〜Ｇに収納させる金種や用途種別（以下、「種別」と呼ぶ。）等を含むカセット情報（「収納部情報」とも呼ぶ。）を設定できる。このカセット情報は、各紙幣カセット部Ａ〜Ｇが有するメモリに格納される。また、後述するように、カセット情報は、自動取引装置１の記憶部にも格納される。例えば、金融機関や警備会社等の係員は、カセット情報の設定に合わせて、紙幣カセット部の交換や紙幣カセット部への紙幣の装填を行っている。
【００２３】
ここで、金種は、紙幣の種類である。例えば、万券を収納する紙幣カセット部の場合、カセット情報の「金種」には「一万円券」が設定される。また、紙幣カセット部は複数の金種（例えば、「一万円券」と「千円券」等）を収納することもでき、その場合、カセット情報の「金種」には「マルチ」が設定される。
【００２４】
また、種別は、紙幣カセット部Ａ〜Ｇの用途（使用目的）の種類である。例えば、入金専用又は出金専用として機能する場合、カセット情報の「種別」には「入金専用」又は「出金専用」が設定される。また例えば、還流リサイクル型の紙幣カセット部の場合、カセット情報の「種別」には「リサイクル」が設定される。また例えば、リジェクト紙幣を収納する紙幣カセット部の場合、カセット情報の「種別」には「ＲＪ（リジェクト）」が設定される。
【００２５】
例えば、入金専用又は還流型リサイクル用の紙幣カセット部が紙幣フル（満杯）になった場合、係員は空の紙幣カセット部に交換する。また、出金専用の紙幣カセット部が空になった場合、係員は紙幣が装填されている紙幣カセット部に交換する。上記のように、紙幣カセット部の作業後、係員は、自動取引装置１の操作表示部５４に表示される精査画面で紙幣カセット部に収納されている収納枚数を紙幣カセット部毎に確認し、係員は精査を確定させている。
【００２６】
従来、紙幣カセット部の種別や金種等のカセット情報が初期設定されると、運用が変わらない限り、カセット情報を変更できない仕組みとなっている。そのため、紙幣カセット部が自動取引装置１に装着された後、正しく紙幣が繰り出されるか否かを確認する試し出し動作を行ない、紙幣カセット部が正常に機能しない場合には、その紙幣カセット部を縮退し、自動取引装置１の運用ができない。
【００２７】
第１の実施形態の自動取引装置１は、試し出し動作の結果から、装着された紙幣カセット部が故障している場合（すなわち、正常に機能しない場合）、紙幣カセット部のカセット情報に基づいて、故障した紙幣カセット部と同一の金種及び種別の他の紙幣カセット部が存在するときには、設定されているカセット情報の変更を行ない、故障した紙幣カセット部を縮退するが、他の紙幣カセット部を用いて運用する。これにより、自動取引装置１が運用できるようにする。
【００２８】
一時保留部５５は、一時的に紙幣を保管するものである。試し出し動作を行なう場合、一時保留部５５は、装着された紙幣カセット部Ａ〜Ｇから搬送路５７に繰り出された紙幣を収納し、一時保留部５５が一時的に紙幣を保管した後、一時保留部５５は再度紙幣を搬送路５７に繰り出して、元の紙幣カセット部Ａ〜Ｇに送る。
【００２９】
搬送路５７は、紙幣入出金部５１、識別部１９、一時保留部５５、紙幣カセット部Ａ〜Ｇの各要素の間で、紙幣を相互に搬送する。搬送路５７には、搬送する紙幣を検知する複数の検知部５８が配置されている。これにより、例えば紙幣の紙詰まり等のジャムを検出できる。
【００３０】
識別部５６は、後述する制御部１０の制御の下、搬送路５７を通過する紙幣を１枚ずつ取り込み、紙幣の金種判定や、真偽判定（紙幣が正常な紙幣であるか又は偽造券であるか）、正損判定、計数処理等を行う。これにより、入金又は出金する紙幣の正常性（又は異常性）や、紙幣枚数を計数できる。
【００３１】
図１は、第１の実施形態の自動取引装置１の制御系の構成を示すブロック図である。
【００３２】
図１において、自動取引装置１は、制御部１０、操作表示制御部１４、カード機構制御部１５、通帳機構制御部１６、搬送機構制御部１７、識別部５５、検知部５８、着脱検知部５９、通信部１８を有する。
【００３３】
制御部１０は、自動取引装置１の全体機能を司るものである。制御部１０は、例えば、回路的な構成であり、そして、ＣＰＵ（ＤＳＰ含む）、ＲＯＭ、ＲＡＭ、ＥＥＰＲＯＭ等の電気的な記憶手段若しくはハードディスク（ＨＤＤ）等の磁気的な記憶手段、及び／又は入出力インタフェース部等を有する。制御部１０は、例えば、ＣＰＵがＲＯＭに記憶される処理プログラムを実行することにより、自動取引装置１の機能を実現するものである。また、制御部１０は、ＦＰＧＡ又はＡＳＩＣで構成され、上記処理プログラムの全部又は一部を処理することも可能である。なお、処理プログラムは、インストールにより構築することができる。
【００３４】
図１に示すように、制御部１０は、取引処理部１１０、カセット管理部１２０、記憶部１３０を有する。
【００３５】
取引処理部１１０は、自動取引装置１で実行可能な取引処理を行なう。取引処理部１１０は、操作表示部５４を介して、顧客が希望する取引種別の入力情報を受け取ると、その取引種別に応じた手順で取引処理を行ない、通信部１８を介してセンタサーバとの間で取引情報を授受して取引を完了させる。また、取引処理部１１０は、完了した各種取引に関する取引情報を記憶部１３０に記憶する。
【００３６】
カセット管理部１２０は、自動取引装置１内の各紙幣カセット部Ａ〜Ｇ（図３参照）の状態を管理するものである。
【００３７】
例えば、カセット管理部１２０は、紙幣カセット部Ａ〜Ｇのカセット情報を設定するため、各紙幣カセット部Ａ〜Ｇのカセット情報を記憶部１３０に記憶する。また、カセット管理部１２０は、紙幣カセット部Ａ〜Ｇの収納枚数を確認して、収納量（収納枚数）が閾値以下となったこと若しくは空となったことを検出し、又は、収納フル（又は収納フルニア）となったことを検出する。そして、紙幣カセット部Ａ〜Ｇの交換を促すために、カセット管理部１２０はアラームを出力する。
【００３８】
また、紙幣カセット部が交換された場合、カセット管理部１２０は、交換された紙幣カセット部の機能が正常か否かを確認するために、試し出し動作を行う。
【００３９】
試し出し動作が正常に行なわれている場合、自動取引装置１は正常な運用を行なう。また、試し出し動作が正常に行なわれていない場合、カセット管理部１２０は、同一金種及び同一種別の他の紙幣カセット部の存在を確認する。そして、同一金種及び同一種別の他の紙幣カセット部が存在するときには、自動取引装置１の運用を可能とするために、カセット管理部１２０は、当該紙幣カセット部を縮退させ、その他の紙幣カセット部を運用させる。このとき、カセット管理部１２０は、記憶部１３０に記憶されているカセット情報の内容を変更する。このカセット情報の変更方法の詳細については後述する。
【００４０】
図１に示すように、カセット管理部１２０は、カセット着脱検出部１２１、カセット故障検出部１２２、カセット情報変更部１２３を有する。
【００４１】
カセット着脱検出部１２１は、紙幣カセット部Ａ〜Ｇの着脱を検知する着脱検知部５９からの検知信号（電気信号）に基づいて、紙幣カセット部Ａ〜Ｇの装着又は取り外しを検出する。
【００４２】
カセット故障検出部１２２は、装着された紙幣カセット部Ａ〜Ｇの試し出し動作の結果に基づいて、装着された紙幣カセット部Ａ〜Ｇの故障を検出する。
【００４３】
ここで、「試し出し動作」は、交換された紙幣カセット部の搬送動作や繰り出し動作や収納動作が正常に行なわれているか否かを確認する動作である。例えば、カセット故障検出部１２２は、交換された紙幣カセット部が有する繰出機構、収納機構が正常に動作しているか否かを確認する。より具体的には、アクチュエータ等で構成される繰出機構、収納機構が、規定時間内に、所定の場所まで移動しているか否かを確認したり、規定時間内に、紙幣の繰り出し又は収納ができているか否かを確認する。また例えば、カセット故障検出部１２２は、紙幣カセット部から搬送路５７に繰り出された紙幣が、ジャムなどを起こさず、正しく搬送されているか否かを確認する。上記のような動作が正常に行なわれていない場合、カセット故障検出部１２２は、当該紙幣カセット部は故障していると判定する。
【００４４】
カセット情報変更部１２３は、カセット故障検出部１２２による故障していると判定された紙幣カセット部のカセット情報を変更する。例えば、故障している紙幣カセット部の金種及び種別を「縮退」に変更する。
【００４５】
このように、故障している紙幣カセット部の金種及び種別を「縮退」に変更することで、当該紙幣カセット部の運用を縮退するが、正常な他の紙幣カセット部のカセット情報は初期設定の状態のままであるため、正常な他の紙幣カセット部の運用が可能となる。また、故障した紙幣カセット部と同一金種及び同一種別の紙幣カセット部が存在するときには、その同一金種及び同一種別の他の紙幣カセット部を用いた運用が可能となる。
【００４６】
記憶部１３０は、制御部１０が実行する処理プログラム、操作表示部５４に表示させる画面情報、取引処理部１１０が行なった取引情報、各紙幣カセット部Ａ〜Ｇのカセット情報１３１等を記憶するものである。
【００４７】
ここで、カセット情報は、紙幣カセット部Ａ〜Ｇに紙幣を収納させるための設定情報である。例えば、カセット情報は、各紙幣カセット部の種別、金種、確定枚数、収納枚数の上限値又は下限値等を含む情報である。種別は、上述したように入金専用、出金専用、還流型リサイクル用等の種別である。金種は、上述したように紙幣の種類であり、例えば日本円の場合、一万円券、五千円券、千円券等の金種である。１台の紙幣カセット部Ａ〜Ｇに割り当てる金種は１種類であっても良いし、又は２種類以上であっても良い。例えば、入金専用の紙幣カセット部の場合、複数種類の金種の紙幣を収納可能としても良い。収納枚数の上限値又は下限値は、満杯になった又は空になった紙幣カセット部Ａ〜Ｇの交換を告げるための値である。上限値又は下限値は、１個の値であっても良いし、満杯又は空とみなす前の値（例えば、プレフル状態又はプレ空状態を示す値等）を含めて複数個の値であっても良い。
【００４８】
操作表示制御部１４は、制御部１０の制御の下、操作表示部５４に表示させる表示画面の表示動作や入力動作等を制御するものである。つまり、操作表示制御部１４は、制御部１０からの画面情報に基づいて、操作表示部５４に画面表示させたり、又操作表示部５４から入力された情報を制御部１０に与えたりするものである。
【００４９】
カード機構制御部１５は、制御部１０の制御の下、カード入出口５２からキャッシュカードを取り込んだり又は排出したりするものである。また、カード機構制御部１５は、カード入出口５２から挿入されたキャッシュカードの格納部（例えば、磁気格納部やＩＣチップ等）に格納されているカード情報を読み取り、そのカード情報を制御部１０に与える。
【００５０】
通帳機構制御部１６は、制御部１０の制御の下、通帳入出口５３から通帳を取り込んだり又は排出したりするものである。また、通帳機構制御部１６は、通帳入出口５３から挿入された通帳の格納部（例えば、磁気データ格納部やＩＣチップ等）に格納されている通帳情報（例えば、磁気ストライプデータ）を読み取り、その通帳情報を制御部１０に与えるものである。
【００５１】
搬送機構制御部１７は、制御部１０の制御の下、紙幣を搬送する搬送路５７の搬送動作を制御するものである。
【００５２】
（Ａ−２）第１の実施形態の動作
次に、自動取引装置１において、紙幣カセット部を交換したときの動作を、図面を参照しながら詳細に説明する。
【００５３】
図４は、第１の実施形態に係る自動取引装置１の試し動作時の処理を示すフローチャートである。
【００５４】
Ｓ１０１：まず、自動取引装置１の起動時に、各紙幣カセット部Ａ〜Ｇの金種や種別等がカセット情報１３１として設定され、そのカセット情報１３１が、記憶部１３０に記憶される。
【００５５】
図５は、第１の実施形態に係るカセット情報１３１の構成を示す構成図である。
【００５６】
図５に示すように、カセット情報１３１は、それぞれの紙幣カセット部Ａ〜Ｇ毎に、少なくとも金種及び種別の初期値が設定される。
【００５７】
例えば、紙幣カセット部Ａについては、還流リサイクル型の紙幣カセット部として機能するため、「種別：リサイクル」と設定され、「金種：一万円券」の紙幣を収納又は繰り出しを行なうことを意味する。また例えば、紙幣カセット部Ｇは、リジェクトされた紙幣を収納する紙幣カセット部として機能するため、「種別：ＲＪ」と設定され、複数の金種を収納するため「金種：マルチ」と設定することを意味する。
【００５８】
なお、カセット管理部１２０は、紙幣カセット部Ａ〜Ｇの運用により、各紙幣カセット部Ａ〜Ｇに現在収納している収納枚数を逐次カセット情報１３１に格納する。
【００５９】
カセット管理部１２０は、紙幣カセット部Ａ〜Ｇの収納枚数等を確認しており、紙幣カセット部Ａ〜Ｇの交換が必要となるか否かを判定する。そして、各紙幣カセット部Ａ〜Ｇの収納枚数が上限値又は下限値に達し、紙幣カセット部Ａ〜Ｇの交換が必要であると判定すると、カセット管理部１２０は、アラームを出力する。
【００６０】
警備会社等の係員は、アラーム通報を受けたときや又は定期的に、紙幣の補充又は紙幣回収のため、自動取引装置１に装着されている紙幣カセット部Ａ〜Ｇを取り外し、新たな紙幣カセット部Ａ〜Ｇの装着を行なう。つまり、係員は、紙幣カセット部Ａ〜Ｇの交換を行なう。
【００６１】
Ｓ１０２：紙幣の補充又は紙幣回収のために、紙幣カセット部Ａ〜Ｇが着脱されると、例えばマイクロスイッチ等の着脱検知部５９が出力する電気信号が変化する。カセット着脱検出部１２１は、着脱検知部５９の電気信号の変化を監視し、紙幣カセット部Ａ〜Ｇの取り外し又は装着を検出する。
【００６２】
Ｓ１０３：カセット着脱検出部１２１は、着脱検知部５９からの電気信号の変化に基づいて、紙幣カセット部Ａ〜Ｇが装着されたか否かを判定する。すなわち、カセット着脱検出部１２１は、紙幣カセット部Ａ〜Ｇが取り外された後、紙幣カセット部Ａ〜Ｇが装着されたか否かを判定する。紙幣カセット部Ａ〜Ｇが装着されないと判定した場合、処理はＳ１０３に戻り、カセット着脱検出部１２１は紙幣カセット部Ａ〜Ｇの着脱を監視する。一方、紙幣カセット部Ａ〜Ｇが装着されたと判定した場合、処理はＳ１０４に移行する。
【００６３】
Ｓ１０４：紙幣カセット部Ａ〜Ｇが装着されたと判定した場合、カセット管理部１２０は、装着された紙幣カセット部Ａ〜Ｇの試し出し動作を行う。
【００６４】
カセット管理部１２０は、カセット情報１３１を参照して、取り外しから装着への変化があった紙幣カセット部Ａ〜Ｇの「種別」が、「リサイクル（還流リサイクル型）」であるか又は「出金専用」であるかを判定する。
【００６５】
「リサイクル」又は「出金専用」である場合、繰出機構による繰り出し動作及び搬送路５７での搬送動作が正常に行なわれているか否かを確認するため、カセット管理部１２０は、当該紙幣カセット部Ａ〜Ｇに対して試し出し動作を行なう。例えば、当該紙幣カセット部Ａ〜Ｇは収納紙幣から１枚の紙幣を取り出し、紙幣を搬送路５７に繰り出す。また、繰り出された紙幣は搬送路５７により搬送され、金種等を識別するため紙幣は識別部５６を通過し、紙幣は一時保留部５５に送られる。さらに、紙幣は一時保留部５５から搬送路５７に送られ、元の紙幣カセット部に戻すため紙幣は識別部５６を通過し、紙幣は元の紙幣カセット部Ａ〜Ｇに収納される。
【００６６】
このとき、カセット故障検出部１２２は、紙幣カセット部Ａ〜Ｇに搭載されているアクチュエータ等の繰出機構が規定時間で紙幣の繰り出しを行なっているか否かを確認する。また、搬送路５７上に配置されている複数の検知部５８が紙幣の通過を検知し、カセット故障検出部１２２は、それぞれの検知部５８からの検知結果に基づいて、規定時間内に紙幣が通過しているか否かを確認する。
【００６７】
Ｓ１０５：カセット故障検出部１２２は、試し出し動作の結果に基づいて、規定の繰り出し動作及び搬送動作が行なわれているか否かを判定する。
【００６８】
そして、規定の試し出し動作が正常に行なわれた場合、カセット故障検出部１２２は、紙幣カセット部Ａ〜Ｇが故障していない（正常）と判定し、処理は終了する。
【００６９】
一方、規定の試し出し動作が正常に行なわれず、カセット故障検出部１２２は、紙幣カセット部Ａ〜Ｇが故障していると判定すると、処理はＳ１０６に移行する。
【００７０】
Ｓ１０６：装着された紙幣カセット部Ａ〜Ｇが故障していると判定すると、カセット情報変更部１２３は、カセット情報１３１における当該紙幣カセット部Ａ〜Ｇのカセット情報を変更する。
【００７１】
図６は、第１の実施形態に係るカセット情報の変更処理を説明する説明図である。
【００７２】
図６では、紙幣カセット部Ａが故障したと判定した場合（Ｐ１）と、紙幣カセット部Ｃが故障したと判定した場合（Ｐ２）のカセット情報の変更処理を説明する。勿論、他の紙幣カセット部が故障した場合も同様に行なわれる。
【００７３】
Ｐ１：紙幣カセット部Ａが故障したと判定した場合、カセット情報変更部１２３は、カセット情報１３１のうち、紙幣カセット部Ａの種別及び金種を「縮退」に変更する。
【００７４】
Ｐ２：紙幣カセット部Ｃが故障したと判定した場合、カセット情報変更部１２３は、カセット情報１３１のうち、紙幣カセット部Ｃの種別及び金種を「縮退」に変更する。
【００７５】
ここで、カセット情報１３１は、金種及び種別の他にも、紙幣カセット部Ａ〜Ｇの収納枚数等も格納している。しかし、精査等の確認作業が必要になるため、収納枚数等は変更せず、当該故障している紙幣カセット部の運用を縮退させるため、金種及び種別を「縮退」に変更する。なお、故障している紙幣カセット部の運用を縮退させることができるのであれば、金種又は種別のいずれかを「縮退」に変更しても良いし、又は「縮退」を意味するフラグを立てるようにしても良い。
【００７６】
上記のように、カセット情報１３１のうち、故障している紙幣カセット部Ａ〜Ｇの金種及び種別を「縮退」に変更することで、当該故障している紙幣カセット部の運用を縮退させることができる。
【００７７】
また、カセット情報１３１の内容変更により、正常に動作している他の紙幣カセット部は、それまでと同様に運用できる。
【００７８】
そのため、自動取引装置１は、変更後のカセット情報１３１に従って、正常な他の紙幣カセット部を用いた運用ができる。
【００７９】
例えば、「金種：一万円券」、「種別：リサイクル」の紙幣カセット部Ａの運用が「縮退」であっても、同一金種及び同一種別の紙幣カセット部Ｂが存在する。そのため、自動取引装置１は、変更後のカセット情報１３１を参照し、１万円券の出金が必要なときには、紙幣カセット部Ｂを用いて取引を継続することができる。
【００８０】
また例えば、「金種：五千円券」、「種別：リサイクル」の紙幣カセット部Ｃの運用が「縮退」に変更された場合、同一金種及び同一種別の紙幣カセット部が存在しない。この場合、紙幣カセット部Ｃの金種及び種別と同一のものがないので、自動取引装置１は、五千万円券の出金が必要なとき取引できない。そのため、自動取引装置１は運用を継続することができず、自動取引装置１は休止する。このとき、自動取引装置１は、運用できない旨のアラーム等を出力するようにしても良い。
【００８１】
（Ａ−３）第１の実施形態の効果
以上のように、第１の実施形態によれば、試し出し動作において、故障した紙幣カセット部のカセット情報を変更することにより、当該故障した紙幣カセット部と同一の金種及び種別の他の紙幣カセット部が存在する場合には、自動取引装置１の運用を続行できる。
【００８２】
（Ｂ）第２の実施形態
次に、本発明に係る自動取引装置の第２の実施形態を、図面を参照しながら詳細に説明する。
【００８３】
（Ｂ−１）第２の実施形態の構成
図７は、第２の実施形態の自動取引装置１Ａの制御系の構成を示すブロック図である。
【００８４】
なお、第２の実施形態の自動取引装置１Ａの外観構成及び内部構成は、第１の実施形態と同一又は対応する構成であるため、第２の実施形態においても、図２及び図３を用いて説明する。
【００８５】
図７において、自動取引装置１Ａは、制御部１０Ａ、操作表示制御部１４、カード機構制御部１５、通帳機構制御部１６、搬送機構制御部１７、識別部５５、検知部５８、着脱検知部５９、通信部１８を有する。
【００８６】
また、制御部１０Ａは、主な機能として、取引処理部１１０、カセット管理部１２０Ａ、記憶部１３０を有する。
【００８７】
第２の実施形態では、制御部１０Ａのカセット管理部１２０Ａの機能が第１の実施形態と異なる。そのため、第２の実施形態では、カセット管理部１２０Ａの機能構成を中心に詳細に説明し、それ以外の要素の機能説明を省略する。
【００８８】
図７に示すように、カセット管理部１２０Ａは、カセット着脱検出部１２１、カセット故障検出部１２２、カセット情報変更部１２３を有し、更にカセット情報変更部１２３が代替カセット検出部１２４を有する。
【００８９】
カセット情報変更部１２３は、第１の実施形態と同様に、カセット情報１３１のうち、故障した紙幣カセット部の金種及び種別を「縮退」に変更する。
【００９０】
また、カセット情報変更部１２３は、当該故障した紙幣カセット部と同一の金種又は種別として機能する他の紙幣カセット部を代替カセットとして機能させるため、代替カセット検出部１２３ａを有する。
【００９１】
カセット情報変更部１２３は、カセット情報１３１のうち、代替カセット検出部１２３ａにより検出された代替カセットの金種及び種別も変更する。
【００９２】
（Ｂ−２）第２の実施形態の動作
次に、自動取引装置１Ａにおいて、紙幣カセット部を交換したときの動作を、図面を参照しながら詳細に説明する。
【００９３】
第２の実施形態でも、図４のフローチャートと同様の処理を行ない、図４のＳ１０６の処理が第１の実施形態と異なる処理である。
【００９４】
図８は、第２の実施形態のカセット情報変更処理を示すフローチャートである。
【００９５】
Ｓ２０１：カセット故障検出部１２２により、装着された紙幣カセット部が故障していると判定すると、カセット情報変更部１２３は、カセット情報１３１を参照して、故障した紙幣カセット部の金種及び種別を確認する。
【００９６】
Ｓ２０２：カセット情報変更部１２３において、代替カセット検出部１２３ａは、カセット情報１３１から、故障した紙幣カセット部以外で、同一金種及び同一種別の紙幣カセット部を１つのグループとし、そのグループが複数あるか否かを検出する。
【００９７】
Ｓ２０３：代替カセット検出部１２３は、同一金種及び同一種別の複数のグループが存在するか否かを判定する。同一金種及び同一種別のグループが複数ない場合、処理はＳ２１１に移行する。同一金種及び同一種別のグループが複数ある場合、Ｓ２０４に移行する。
【００９８】
Ｓ２１１では、カセット情報変更部１２３が、第１の実施形態と同様に、故障した紙幣カセット部の金種及び種別を「縮退」に変更する。
【００９９】
Ｓ２０４：代替カセット検出部１２３は、カセット情報１３１を参照して、各グループの複数の紙幣カセット部のうち収納枚数（すなわち、収納残枚数）が最少のものを検出するため、各グループの複数の紙幣カセット部のそれぞれの収納枚数を読み出す。
【０１００】
Ｓ２０５：代替カセット検出部１２３は、各グループの複数の紙幣カセット部の収納枚数うち、収納枚数が最少の紙幣カセット部を検出する。
【０１０１】
Ｓ２０６：カセット情報変更部１２３は、カセット情報１３１から各紙幣カセット部のカセット情報を順番に見ていき、Ｓ２０５で検出した収納枚数が最少の紙幣カセット部であるかを順番に確認していく。そして、カセット情報変更部１２３は、順番に見ていった今回の紙幣カセット部が、収納枚数最少のものである場合、Ｓ２０７の処理に移行する。そうでない場合、Ｓ２０９の処理に移行する。
【０１０２】
Ｓ２０７：カセット情報変更部１２３は、第１の実施形態と同様に、故障した紙幣カセット部の金種及び種別を「縮退」に変更する。
【０１０３】
Ｓ２０８：カセット情報変更部１２３は、順番に見ていった今回の紙幣カセット部の金種及び種別を、故障した紙幣カセット部の金種及び種別に変更する。
【０１０４】
Ｓ２０９：カセット情報変更部１２３は、各グループの紙幣カセット部の全てについて確認したか否かを判定する。全ての他の紙幣カセット部について確認した場合、処理を終了する。一方、全ての他の紙幣カセット部について確認していない場合、Ｓ２１０の処理に移行する。
【０１０５】
Ｓ２１０：カセット情報変更部１２３は、カセット情報１３１から、複数の紙幣カセット部のうち、次の紙幣カセット部のカセット情報を確認して、Ｓ２０６の処理に移行する。
【０１０６】
Ｓ２０６の処理に移行した後、Ｓ２０６〜Ｓ２０９の処理を繰り返し行い、カセット情報の処理を終了する。
【０１０７】
図９は、第２の実施形態に係るカセット情報の変更処理を説明する説明図である。
【０１０８】
図９では、紙幣カセット部Ｅが故障したと判定した場合のケース１（Ｐ３）、紙幣カセット部Ｅが故障したと判定した場合のケース２（Ｐ４）、紙幣カセット部Ｆが故障したと判定した場合のケース３（Ｐ５）、紙幣カセット部Ｇが故障したと判定した場合のケース（Ｐ６）、のカセット情報の変更処理を説明する。
【０１０９】
（ケース１：Ｐ３）
ケース１は、「金種：マルチ」及び「種別：入金専用」の紙幣カセット部Ｅが故障し、紙幣カセット部Ａ〜Ｄの各収納枚数が「１０００枚」、「８００枚」「６００枚」、「４００枚」であり、Ａ＞Ｂ＞Ｃ＞Ｄとする。
【０１１０】
代替カセット検出部１２３ａは、各紙幣カセット部Ａ〜Ｇのカセット情報を順番に検索し、故障した紙幣カセット部Ｅ以外で、同一の金種及び種別のものを１つのグループとし、複数のグループあるか否か検出する（Ｓ２０２）。
【０１１１】
Ｐ３の例では、紙幣カセット部Ａ及びＢと、紙幣カセット部Ｃ及びＤとがそれぞれ、同一金種及び同一種別である。そのため、紙幣カセットＡ及びＢのグループ１と、紙幣カセット部Ｃ及びＤのグループ２との複数のグループを検出する。
【０１１２】
代替カセット検出部１２３ａは、同一金種及び同一種別の複数のグループが存在するため（Ｓ２０３）、Ｓ２０４の処理に移行する。
【０１１３】
代替カセット検出部１２３ａは、グループ１及びグループ２の紙幣カセット部の収納枚数を順番に読み出し（Ｓ２０４）、収納枚数が最少の紙幣カセット部を検出する（Ｓ２０５）。本Ｐ３の例では、紙幣カセット部Ｄが検出される。
【０１１４】
カセット情報変更部１２３は、カセット情報１３１から紙幣カセット部を順番に見ていき、収納枚数が最少の紙幣カセット部であるか否かを判定する（Ｓ２０６）。
【０１１５】
まず、カセット情報変更部１２３は、紙幣カセット部Ａが最少収納枚数の紙幣カセット部であるか否かを判定する。本Ｐ３の例では最小収納枚数の紙幣カセット部は紙幣カセット部Ｄであるため、判定結果は「Ｎｏ」となり（Ｓ２０６）、Ｓ２０９の処理に移行する。
【０１１６】
次に、カセット情報変更部１２３は、次の紙幣カセット部Ｂが最少収納枚数の紙幣カセット部であるか否かを判定する。本Ｐ３の例では最小収納枚数の紙幣カセット部は紙幣カセット部Ｄであるため、判定結果は「Ｎｏ」となり（Ｓ２０６）、Ｓ２０９の処理に移行する。
【０１１７】
次に、カセット情報変更部１２３は、紙幣カセット部Ｃが最少収納枚数の紙幣カセット部であるか否かを判定する。本Ｐ３の例では最小収納枚数の紙幣カセット部は紙幣カセット部Ｄであるため、判定結果は「Ｎｏ」となり（Ｓ２０６）、Ｓ２０９の処理に移行する。
【０１１８】
さらに次に、カセット情報変更部１２３は、紙幣カセット部Ｄが最少収納枚数の紙幣カセット部であるか否かを判定する。本Ｐ３の例では最小収納枚数の紙幣カセット部は紙幣カセット部Ｄであるため、判定結果は「ＹＥＳ」となり（Ｓ２０６）、Ｓ２０７の処理に移行する。
【０１１９】
カセット情報変更部１２３は、カセット情報１３１において、故障した紙幣カセット部Ｅの金種及び種別を「縮退」と変更する（Ｓ２０７）。また、カセット情報変更部１２３は、紙幣カセット部Ｄの金種及び種別をそれぞれ、故障した紙幣カセット部Ｅの金種及び種別である「マルチ」及び「入金専用」に変更する（Ｓ２０８）。
【０１２０】
（ケース２：Ｐ４）
ケース２は、「金種：マルチ」及び「種別：入金専用」の紙幣カセット部Ｅが故障し、紙幣カセット部Ａ〜Ｄの各収納枚数が「１０００枚」、「８００枚」「４００枚」、「６００枚」であり、Ａ＞Ｂ＞Ｄ＞Ｃとする。
【０１２１】
代替カセット検出部１２３ａは、各紙幣カセット部Ａ〜Ｇのカセット情報を順番に検索し、故障した紙幣カセット部Ｅ以外で、同一の金種及び種別のものを１つのグループとし、複数のグループあるか否か検出する（Ｓ２０２）。
【０１２２】
Ｐ４の例では、紙幣カセット部Ａ及びＢと、紙幣カセット部Ｃ及びＤとがそれぞれ、同一金種及び同一種別である。そのため、紙幣カセットＡ及びＢのグループ１と、紙幣カセット部Ｃ及びＤのグループ２との複数のグループを検出する。
【０１２３】
代替カセット検出部１２３ａは、同一金種及び同一種別の複数のグループが存在するため（Ｓ２０３）、Ｓ２０４の処理に移行する。
【０１２４】
代替カセット検出部１２３ａは、グループ１及びグループ２の紙幣カセット部の収納枚数を順番に読み出し（Ｓ２０４）、収納枚数が最少の紙幣カセット部を検出する（Ｓ２０５）。本Ｐ３の例では、紙幣カセット部Ｃが検出される。
【０１２５】
カセット情報変更部１２３は、カセット情報１３１から紙幣カセット部を順番に見ていき、収納枚数が最少の紙幣カセット部であるか否かを判定する（Ｓ２０６）。
【０１２６】
まず、カセット情報変更部１２３は、紙幣カセット部Ａが最少収納枚数の紙幣カセット部であるか否かを判定する。本Ｐ４の例では最小収納枚数の紙幣カセット部は紙幣カセット部Ｃであるため、判定結果は「Ｎｏ」となり（Ｓ２０６）、Ｓ２０９の処理に移行する。
【０１２７】
次に、カセット情報変更部１２３は、次の紙幣カセット部Ｂが最少収納枚数の紙幣カセット部であるか否かを判定する。本Ｐ４の例では最小収納枚数の紙幣カセット部は紙幣カセット部Ｃであるため、判定結果は「Ｎｏ」となり（Ｓ２０６）、Ｓ２０９の処理に移行する。
【０１２８】
次に、カセット情報変更部１２３は、紙幣カセット部Ｃが最少収納枚数の紙幣カセット部であるか否かを判定する。本Ｐ４の例では最小収納枚数の紙幣カセット部は紙幣カセット部Ｃであるため、判定結果は「ＹＥＳ」となり（Ｓ２０６）、Ｓ２０７の処理に移行する。
【０１２９】
カセット情報変更部１２３は、カセット情報１３１において、故障した紙幣カセット部Ｅの金種及び種別を「縮退」と変更する（Ｓ２０７）。また、カセット情報変更部１２３は、紙幣カセット部Ｃの金種及び種別をそれぞれ、故障した紙幣カセット部Ｅの金種及び種別である「マルチ」及び「入金専用」に変更する（Ｓ２０８）。
【０１３０】
次に、カセット情報変更部１２３は、紙幣カセット部Ｄが最少収納枚数の紙幣カセット部であるか否かを判定する。本Ｐ４の例では最小収納枚数の紙幣カセット部は紙幣カセット部Ｃであるため、判定結果は「Ｎｏ」となり（Ｓ２０６）、処理は終了する。
【０１３１】
（ケース３：Ｐ５）
ケース３は、「金種：マルチ」及び「種別：ＲＪ」の紙幣カセット部Ｆが故障し、紙幣カセット部Ａ〜Ｄの各収納枚数が「１０００枚」、「８００枚」「６００枚」、「４００枚」であり、Ａ＞Ｂ＞Ｃ＞Ｄとする。
【０１３２】
代替カセット検出部１２３ａは、各紙幣カセット部Ａ〜Ｇのカセット情報を順番に検索し、故障した紙幣カセット部Ｆ以外で、同一の金種及び種別のものを１つのグループとし、複数のグループあるか否か検出する（Ｓ２０２）。
【０１３３】
Ｐ５の例では、紙幣カセット部Ａ及びＢと、紙幣カセット部Ｃ及びＤとがそれぞれ、同一金種及び同一種別である。そのため、紙幣カセットＡ及びＢのグループ１と、紙幣カセット部Ｃ及びＤのグループ２との複数のグループを検出する。
【０１３４】
代替カセット検出部１２３ａは、同一金種及び同一種別の複数のグループが存在するため（Ｓ２０３）、Ｓ２０４の処理に移行する。
【０１３５】
代替カセット検出部１２３ａは、グループ１及びグループ２の紙幣カセット部の収納枚数を順番に読み出し（Ｓ２０４）、収納枚数が最少の紙幣カセット部を検出する（Ｓ２０５）。本Ｐ５の例では、紙幣カセット部Ｄが検出される。
【０１３６】
カセット情報変更部１２３は、カセット情報１３１から紙幣カセット部を順番に見ていき、収納枚数が最少の紙幣カセット部であるか否かを判定する（Ｓ２０６）。
【０１３７】
まず、カセット情報変更部１２３は、紙幣カセット部Ａが最少収納枚数の紙幣カセット部であるか否かを判定する。本Ｐ５の例では最小収納枚数の紙幣カセット部は紙幣カセット部Ｄであるため、判定結果は「Ｎｏ」となり（Ｓ２０６）、Ｓ２０９の処理に移行する。
【０１３８】
次に、カセット情報変更部１２３は、次の紙幣カセット部Ｂが最少収納枚数の紙幣カセット部であるか否かを判定する。本Ｐ５の例では最小収納枚数の紙幣カセット部は紙幣カセット部Ｄであるため、判定結果は「Ｎｏ」となり（Ｓ２０６）、Ｓ２０９の処理に移行する。
【０１３９】
次に、カセット情報変更部１２３は、次の紙幣カセット部Ｃが最少収納枚数の紙幣カセット部であるか否かを判定する。本Ｐ５の例では最小収納枚数の紙幣カセット部は紙幣カセット部Ｄであるため、判定結果は「Ｎｏ」となり（Ｓ２０６）、Ｓ２０９の処理に移行する。
【０１４０】
次に、カセット情報変更部１２３は、紙幣カセット部Ｄが最少収納枚数の紙幣カセット部であるか否かを判定する。本Ｐ５の例では最小収納枚数の紙幣カセット部は紙幣カセット部Ｄであるため、判定結果は「ＹＥＳ」となり（Ｓ２０６）、Ｓ２０７の処理に移行する。
【０１４１】
カセット情報変更部１２３は、カセット情報１３１において、故障した紙幣カセット部Ｆの金種及び種別を「縮退」と変更する（Ｓ２０７）。また、カセット情報変更部１２３は、紙幣カセット部Ｄの金種及び種別をそれぞれ、故障した紙幣カセット部Ｆの金種及び種別である「マルチ」及び「ＲＪ」に変更する（Ｓ２０８）。
【０１４２】
（ケース４：Ｐ６）
ケース４は、「金種：マルチ」及び「種別：ＲＪ」の紙幣カセット部Ｇが故障し、紙幣カセット部Ａ〜Ｄの各収納枚数が「１０００枚」、「８００枚」「６００枚」、「４００枚」であり、Ａ＞Ｂ＞Ｃ＞Ｄとする。
【０１４３】
代替カセット検出部１２３ａは、各紙幣カセット部Ａ〜Ｇのカセット情報を順番に検索し、故障した紙幣カセット部Ｇ以外で、同一の金種及び種別のものを１つのグループとし、複数のグループあるか否か検出する（Ｓ２０２）。
【０１４４】
Ｐ６の例では、紙幣カセット部Ａ及びＢと、紙幣カセット部Ｃ及びＤとがそれぞれ、同一金種及び同一種別である。そのため、紙幣カセットＡ及びＢのグループ１と、紙幣カセット部Ｃ及びＤのグループ２との複数のグループを検出する。
【０１４５】
代替カセット検出部１２３ａは、同一金種及び同一種別の複数のグループが存在するため（Ｓ２０３）、Ｓ２０４の処理に移行する。
【０１４６】
代替カセット検出部１２３ａは、グループ１及びグループ２の紙幣カセット部の収納枚数を順番に読み出し（Ｓ２０４）、収納枚数が最少の紙幣カセット部を検出する（Ｓ２０５）。本Ｐ６の例では、紙幣カセット部Ｄが検出される。
【０１４７】
カセット情報変更部１２３は、カセット情報１３１から紙幣カセット部を順番に見ていき、収納枚数が最少の紙幣カセット部であるか否かを判定する（Ｓ２０６）。
【０１４８】
まず、カセット情報変更部１２３は、紙幣カセット部Ａが最少収納枚数の紙幣カセット部であるか否かを判定する。本Ｐ６の例では最小収納枚数の紙幣カセット部は紙幣カセット部Ｄであるため、判定結果は「Ｎｏ」となり（Ｓ２０６）、Ｓ２０９の処理に移行する。
【０１４９】
次に、カセット情報変更部１２３は、次の紙幣カセット部Ｂが最少収納枚数の紙幣カセット部であるか否かを判定する。本Ｐ６の例では最小収納枚数の紙幣カセット部は紙幣カセット部Ｄであるため、判定結果は「Ｎｏ」となり（Ｓ２０６）、Ｓ２０９の処理に移行する。
【０１５０】
次に、カセット情報変更部１２３は、次の紙幣カセット部Ｃが最少収納枚数の紙幣カセット部であるか否かを判定する。本Ｐ６の例では最小収納枚数の紙幣カセット部は紙幣カセット部Ｄであるため、判定結果は「Ｎｏ」となり（Ｓ２０６）、Ｓ２０９の処理に移行する。
【０１５１】
次に、カセット情報変更部１２３は、紙幣カセット部Ｄが最少収納枚数の紙幣カセット部であるか否かを判定する。本Ｐ６の例では最小収納枚数の紙幣カセット部は紙幣カセット部Ｄであるため、判定結果は「ＹＥＳ」となり（Ｓ２０６）、Ｓ２０７の処理に移行する。
【０１５２】
カセット情報変更部１２３は、カセット情報１３１において、故障した紙幣カセット部Ｇの金種及び種別を「縮退」と変更する（Ｓ２０７）。また、カセット情報変更部１２３は、紙幣カセット部Ｄの金種及び種別をそれぞれ、故障した紙幣カセット部Ｇの金種及び種別である「マルチ」及び「ＲＪ」に変更する（Ｓ２０８）。
【０１５３】
（Ｂ−３）第２の実施形態の効果
以上のように、第２の実施形態によれば、金種及び種別の組み合わせがただ１つの紙幣カセット部が故障した場合でも、他の紙幣カセット部を代替カセットに変更することで、自動取引装置の運用を続行できる。
【０１５４】
（Ｃ）第３の実施形態
次に、本発明に係る自動取引装置の第３の実施形態を、図面を参照しながら詳細に説明する。
【０１５５】
（Ｃ−１）第３の実施形態の構成
第３の実施形態の自動取引装置１の構成は、第１及び第２の実施形態と同一又は対応する構成であるため、第３の実施形態では、図２及び図３を用いて説明する。
【０１５６】
図１０は、第３の実施形態の自動取引装置１Ｂの制御系の構成を示すブロック図である。
【０１５７】
図１０において、自動取引装置１Ｂは、制御部１０Ｂ、操作表示制御部１４、カード機構制御部１５、通帳機構制御部１６、搬送機構制御部１７、識別部５５、検知部５８、着脱検知部５９、通信部１８を有する。
【０１５８】
また、制御部１０Ｂは、主な機能として、取引処理部１１０、カセット管理部１２０Ｂ、記憶部１３０、紙幣センサ６０を有する。
【０１５９】
第２の実施形態では、カセット管理部１２０Ｂの機能が第１の実施形態と異なる。そのため、第２の実施形態では、カセット管理部１２０Ｂの機能構成を中心に詳細に説明し、それ以外の要素の機能説明を省略する。
【０１６０】
図１０に示すように、カセット管理部１２０Ｂは、カセット着脱検出部１２１、カセット故障検出部１２２、カセット情報変更部１２３を有する。
【０１６１】
カセット故障検出部１２２は、第１の実施形態と同様に、装着された紙幣カセット部Ａ〜Ｇの試し出し動作の結果に基づいて、装着された紙幣カセット部Ａ〜Ｇの故障を検出する。
【０１６２】
また、カセット故障検出部１２２は、タイマ１２２ａを有しており、装着された紙幣カセット部Ａ〜Ｇの繰出機構による紙幣の繰り出し動作が、所定タイマ時間内で動作完了したか否かを判定し、タイマ１２２ａの所定タイマ時間内で繰り出し動作が完了しなかった場合、当該紙幣カセット部Ａ〜Ｇは故障と判定する。また、所定タイマ時間内に繰り出しが完了すると、当該紙幣カセット部Ａ〜Ｇが正常であると判定する。
【０１６３】
ここで、紙幣カセット部Ａ〜Ｇはそれぞれ、少なくとも、繰出機構６０、紙幣センサ６１を有する。
【０１６４】
繰出機構６０は、紙幣カセット部Ａ〜Ｇのそれぞれから紙幣を繰り出す機構であり、例えば、モータやソレノイド等を有するアクチュエータ群で構成される。
【０１６５】
紙幣センサ６１は、繰出機構６０に繰り出される紙幣の通過を検出するものであり、例えば、発光素子と受光素子とで構成される。
【０１６６】
カセット故障検出部１２２は、紙幣カセット部の繰出機構６０に対して繰り出し動作の開始指令をした時刻から、紙幣センサ６１が通過する紙幣の検知時刻までの時間を計測する。
【０１６７】
（Ｃ−２）第３の実施形態の動作
図１０を参照しながら、第３の実施形態のカセット故障検出部１２２の動作を説明する。
【０１６８】
カセット故障検出部１２２は、まず、紙幣カセット部の繰出機構６１に対して、紙幣繰り出し動作の開始指令を行なう。このとき、カセット故障検出部１２２は、タイマ１２２ａの計測を開始する。また、タイマ時間は、適宜設定できるが、例えば１０秒と設定できる。
【０１６９】
開始指令を受けた紙幣カセット部は、例えば、図示しない紙幣カセット部内のステージを繰出機構６１の方向に動作させ、同時に繰出機構６１に付設されている図示しない紙幣繰出ローラを回転させる。
【０１７０】
紙幣カセット部において、繰出機構６０に紙幣が到達すると、紙幣が紙幣繰り出しローラと接触して、紙幣が繰り出される。
【０１７１】
正常に繰り出し動作が行われた場合、紙幣はタイマ時間（例えば１０秒）以内に紙幣カセット部から繰り出される。紙幣センサ６１は、例えば、紙幣カセット部から紙幣が繰り出される位置に設けられており、紙幣センサ６１が通過する紙幣を検知すると、その検知信号がカセット故障検出部１２２に与えられ、カセット故障検出部１２２は、タイマ１２２ａの計時を停止する。
【０１７２】
カセット故障検出部１２２は、タイマ１２２ａの計時時間が、所定のタイマ時間（例えば、１０秒）以内であれば、紙幣カセット部は正常と判定する。
【０１７３】
一方、所定のタイマ時間を超えた場合には、当該紙幣カセット部は故障と判定する。
【０１７４】
（Ｃ−３）第３の実施形態の効果
以上のように、第３の実施形態によれば、紙幣カセット部が故障したことを検出するために、紙幣カセット部からの紙幣が、所定時間内に繰り出されたか否かにより、紙幣カセット部の故障の有無を判断でき、紙幣カセット部の故障状態を確実に検出できる。
【０１７５】
（Ｄ）第４の実施形態
次に、本発明に係る自動取引装置の第４の実施形態を、図面を参照しながら詳細に説明する。
【０１７６】
（Ｄ−１）第４の実施形態の構成及び動作
第４の実施形態の自動取引装置１の構成は、第１〜第３の実施形態と同一又は対応する構成であるため、第４の実施形態では、図２及び図３を用いて説明する。
【０１７７】
図１１は、第４の実施形態の自動取引装置１Ｃの制御系の構成を示すブロック図である。
【０１７８】
図１１において、自動取引装置１Ｃは、制御部１０Ｃ、操作表示制御部１４、カード機構制御部１５、通帳機構制御部１６、搬送機構制御部１７、識別部５５、検知部５８、着脱検知部５９、ホストサーバ２と接続する通信部１８を有する。
【０１７９】
また、制御部１０Ｃは、取引処理装置１１０、カセット管理部１２０Ｃ、記憶部１３０を有する。
【０１８０】
カセット管理部１２０Ｃは、第１〜第３の実施形態の機能に加えて、カセット情報要求部１２４を有する。
【０１８１】
カセット情報要求部１２４は、通信部１８を通じて、ホストサーバ２との間でカセット情報の要求電文を送信する。そして、ホストサーバ２から受信したカセット情報を記憶部１３０に記憶する。
【０１８２】
例えば、新設する自動取引装置１Ｃの場合、紙幣カセット部Ａ〜Ｇに搭載されているメモリチップ（記憶部）に格納されているカセット情報を取得する方法がある。しかし、各紙幣カセット部Ａ〜Ｇのカセット情報は、現金センタ等の施設で、カセット情報の書込用設備（カセット情報書込装置）で作成（設定）されており、カセット情報の書込用設備を設ける負担やコストがかかってしまう。
【０１８３】
また例えば、新設する自動取引装置１Ｃの場合、紙幣カセット部Ａ〜Ｇのカセット情報１３１を記憶部１３０に書き込むことが必要となる。しかし、カセット情報要求部１２４を設けることにより、ホストサーバ２に設定されているカセット情報１３１（例えば、新設する前の自動取引装置に記憶されていたカセット情報）を取得でき、カセット情報１３３１を引き継いで、自動取引装置１を運用できる。
【０１８４】
（Ｄ−２）第４の実施形態の動作
図１１を参照しながら、第４の実施形態のカセット情報の要求処理を説明する。
【０１８５】
まず、自動取引装置１Ｃが新設され、電源投入がされる。
【０１８６】
次に、カセット情報要求部１２４は、ホストサーバ２に対して、自動取引装置１Ｃに搭載される紙幣カセット部Ａ〜Ｇのカセット情報１３１（例えば、金種、種別及び収納枚数（紙幣残枚数）等）の要求電文を送信する。
【０１８７】
ホストサーバ２は、カセット情報の要求電文を受信すると、要求電文に含まれている自動取引装置１の識別情報に基づいて、図示しないデータベースから対応するカセット情報を読み出し、そのカセット情報を含む電文を、自動取引装置１Ｃに応答する。
【０１８８】
自動取引装置１Ｃは、ホストサーバ２から受信したカセット情報１３１を記憶部１３０に記憶する。
【０１８９】
（Ｄ−３）第４の実施形態の効果
以上のように、第４の実施形態によれば、カセット情報を紙幣カセットからではなく、自動取引装置の記憶部に保存するため、例えば現金センタ等で各紙幣カセット部にカセット情報を書き込む必要がなくなる。そのため、現金センタにおけるカセット情報の書込用設備を設置する必要がなくなるというメリットがある。
【０１９０】
（Ｅ）他の実施形態
上述した第１〜第４の実施形態においても種々の変形実施形態を言及したが、以下の変形実施形態にも適用できる。
【０１９１】
（Ｅ−１）上述した第１の実施形態では着脱検出部が、マイクロスイッチを用いる場合を例示したが、フォトインタラプタやジャックインコネクタを用いたループ回路等を用いてもよい。
【０１９２】
（Ｅ−２）上述した第２の実施形態では、同一金種及び同一種別の紙幣カセット部群を１つのグループとし、複数のグループがあるか否かを検出する場合を例示した。しかし、同一金種及び同一種別の紙幣カセット部が複数あるか否かを検出するようにしても良い。この場合でも、複数の紙幣カセット部の中から、収納残枚数が最少のもの金種及び種別を、故障した紙幣カセット部の金種及び種別に変更することで、第２の実施形態と同様の効果を奏する。
【０１９３】
（Ｅ−３）上述した第２の実施形態のカセット情報の変更処理は、図８に例示する処理フローに限定されない。例えば、収納枚数が最少の紙幣カセット部を検出した後、カセット情報変更部１２３が、カセット情報１３１から収納枚数が最少の紙幣カセット部のレコードを検索して、カセット情報を読み出して、カセット情報を変更するようにしても良い。
【０１９４】
（Ｅ−４）上述した第２の実施形態の図８のＳ２０７及びＳ２０８では、故障した紙幣カセット部の金種及び種別を変更した後、代替カセットとする紙幣カセット部の金種及び種別を変更する場合を例示したが、処理としては同時に行うものであり、Ｓ２０７の処理とＳ２０８の処理の順序が逆であっても良い。
【０１９５】
（Ｅ−５）上述した第２〜第４の実施形態で説明した自動取引装置は、第１の実施形態をベースにして説明した。しかし、第１〜第４の実施形態の自動取引装置の各種機能は、それぞれの実施形態の自動取引装置に搭載するようにしても良い。
【符号の説明】
【０１９６】
１、１Ａ、１Ｂ及び１Ｃ…自動取引装置、１０…制御部、１７…搬送機構制御部、５８…検知部、５９…着脱検知部、５８…通信部、６０…繰出機構、６１…紙幣センサ、１２０…カセット管理部、１２１…カセット着脱検出部、１２２…カセット故障検出部、１２２ａ…タイマ、１２３…カセット情報変更部、１２３ａ…代替カセット検出部、１３０…記憶部、１３１…カセット情報。
【図１】
2017091141.tif 000003
【図２】
2017091141.tif 000004
【図３】
2017091141.tif 000005
【図４】
2017091141.tif 000006
【図５】
2017091141.tif 000007
【図６】
2017091141.tif 000008
【図７】
2017091141.tif 000009
【図８】
2017091141.tif 000010
【図９】
2017091141.tif 000011
【図１０】
2017091141.tif 000012
【図１１】
2017091141.tif 000013